(57)【要約】【課題】  簡易な構成を有するとともにシールドテープを電気的に接地させる作業性が向上するフレキシブルケーブル（ＦＣ）の接地構造とすること。【解決手段】  ＦＣ１１の接地構造は、ケース８内にその底面から間隔をあけて設置された一方の回路基板４と他方の回路基板５とを電気的に中継接続する、シールドテープ１３によって周囲が巻回されているＦＣ１１の接地構造であって、両側の中継接続部（接続端子６，７）から横方向に付勢されることによって形状を維持する蛇腹部13a,13bを有するとともに、その蛇腹部13a,13bの上端13a1が押圧部材９により押圧されてシールドテープ１３がケース８の底面に当接することによってシールドテープ１３が押圧部材９及びケース８の少なくとも一方に電気的に接地されている。【選択図】  図１
2015185623.tif 000002
【特許請求の範囲】
【請求項１】
ケース内にその底面から間隔をあけて設置された一方の回路基板と他方の回路基板とを電気的に中継接続する、シールドテープによって周囲が巻回されているフレキシブルケーブルの接地構造であって、両側の中継接続部から横方向に付勢されることによって形状を維持する蛇腹部を有するとともに、その蛇腹部の上端が押圧部材により押圧されて前記シールドテープが前記ケースの底面に当接することによって前記シールドテープが前記押圧部材及び前記ケースの少なくとも一方に電気的に接地されているフレキシブルケーブルの接地構造。
【請求項２】
前記押圧部材及び前記ケースの少なくとも一方は、導電性材料から成るとともに電気的に接地されている請求項１に記載のフレキシブルケーブルの接地構造。
【請求項３】
前記押圧部材及び前記ケースの少なくとも一方は、前記シールドテープが当接する部位に接地導体が設けられている請求項１に記載のフレキシブルケーブルの接地構造。
【発明の詳細な説明】
【技術分野】
【０００１】
本発明は、例えばプリント配線基板（Printed  Circuit  Board：ＰＣＢ）等の回路基板の回路配線を電気的に中継接続するためのフレキシブルケーブル（Flexible  Cable：ＦＣ）の接地構造に関するものである。
【背景技術】
【０００２】
従来のフレキシブルフラットケーブル（Flexible  Flat  Cable：ＦＦＣ）の１例を図３に示す。図３（ａ）は、２つの回路基板の回路配線同士を電気的に中継接続しているＦＦＣの平面図、（ｂ）は（ａ）のＣ１−Ｃ２線における断面図である。ＦＦＣ１は、例えば、電気機器のケース８内にその底面から間隔をあけて設置された一方の回路基板４と他方の回路基板５とを電気的に中継接続するものであり、アルミニウム（Ａｌ）等から成るシールドテープ３によって周囲が巻回されている。ＦＦＣ１は、平面的に平行に並べられた複数の導体線２と、それらの導体線２を覆う樹脂等から成る保護絶縁材とを有しており、面状のケーブルである。シールドテープ３は、ＦＦＣ１の信号伝送用の導体線２によって伝送される電気信号に対して外部からノイズが入り込むことを防ぐとともに、導体線２によって伝送される電気信号が外部へ漏れることを防ぐために設けられる。なお、図３において、６，７はＦＦＣ１の導体線２を回路基板４，５の回路配線に電気的に接続するための接続端子（コネクタ）である。
【０００３】
図３に示すように、ＦＦＣ１は回路基板４，５の回路配線同士をほぼ最短距離で中継接続するために、平面的に設けられている。また図３（ｂ）の断面図でみると、ＦＦＣ１は直線的に設けられている。
【０００４】
ＦＦＣ１は、図３のように電気的にフローティング状態にあると、電磁遮蔽（シールド）性が不十分である。そこで、シールド性を高める目的で、図４に示すように、接地用の接続部３ｂを信号伝送方向の両端に有するシールドテープ３ａが用いられる場合があった。この接続部３ｂはコネクタ６，７の接地端子に電気的に接続される。また、他の従来例として、一側がシールドテープに電気的に接続され、他側がＦＦＣのケーブル本体の外へ延びてグランドに接続されるジャンパ部材を含むＦＦＣが知られている（特許文献１を参照）。
【先行技術文献】
【特許文献】
【０００５】
【特許文献１】特開２００７−９５４３５号公報
【発明の概要】
【発明が解決しようとする課題】
【０００６】
しかしながら、図４に示した上記従来のＦＦＣ１においては、接地用の接続部３ｂを信号伝送方向の両端に有するシールドテープ３ａは、形状が複雑であるために、製造の際に加工が難しく、また矩形状のシールドテープと比較して母材から多くの個片を切り出すことができないために、製造コストが嵩み高価なものになりやすい。さらに、接続部３ｂをコネクタ６，７の接地端子に接続させる必要があるために、ＦＦＣ１をケース８内に組み込む際の作業性が悪いという問題点があった。
【０００７】
また、特許文献１に開示されているＦＦＣにおいては、別個のジャンパ部材を有しているために、ＦＦＣの製造工程が増加して高コストなものとなり、またジャンパ部材をビスで止める必要があるために、ＦＦＣをケース等の内部に組み込む際の作業性が悪いという問題点があった。
【０００８】
本発明は、上記に問題点に鑑みて完成されたものであり、その目的は、簡易な構成を有するとともにシールドテープを電気的に接地させる作業性が向上するフレキシブルケーブル（ＦＣ）の接地構造とすることである。
【課題を解決するための手段】
【０００９】
本発明のフレキシブルケーブルの接地構造は、ケース内にその底面から間隔をあけて設置された一方の回路基板と他方の回路基板とを電気的に中継接続する、シールドテープによって周囲が巻回されているフレキシブルケーブルの接地構造であって、両側の中継接続部から横方向に付勢されることによって形状を維持する蛇腹部を有するとともに、その蛇腹部の上端が押圧部材により押圧されて前記シールドテープが前記ケースの底面に当接することによって前記シールドテープが前記押圧部材及び前記ケースの少なくとも一方に電気的に接地されている構成である。
【００１０】
本発明のフレキシブルケーブルの接地構造は、好ましくは、前記押圧部材及び前記ケースの少なくとも一方は、導電性材料から成るとともに電気的に接地されている。
【００１１】
また本発明のフレキシブルケーブルの接地構造は、好ましくは、前記押圧部材及び前記ケースの少なくとも一方は、前記シールドテープが当接する部位に接地導体が設けられている。
【発明の効果】
【００１２】
本発明のフレキシブルケーブルの接地構造は、ケース内にその底面から間隔をあけて設置された一方の回路基板と他方の回路基板とを電気的に中継接続する、シールドテープによって周囲が巻回されているフレキシブルケーブルの接地構造であって、両側の中継接続部から横方向に付勢されることによって形状を維持する蛇腹部を有するとともに、その蛇腹部の上端が押圧部材により押圧されてシールドテープがケースの底面に当接することによってシールドテープが押圧部材及びケースの少なくとも一方に電気的に接地されていることから、ケース内にフレキシブルケーブルを組み込んで押圧部材によって押圧するだけでシールドテープが押圧部材及びケースの少なくとも一方に接触して電気的に接地されることになる。即ち、本発明のフレキシブルケーブルの接地構造は、簡易な構成を有するとともにシールドテープを電気的に接地させる作業性が向上したものとなる。
【００１３】
本発明のフレキシブルケーブルの接地構造は、好ましくは、押圧部材及びケースの少なくとも一方は、導電性材料から成るとともに電気的に接地されていることから、フレキシブルケーブルの接地の作業性が向上する。
【００１４】
また本発明のフレキシブルケーブルの接地構造は、好ましくは、押圧部材及びケースの少なくとも一方は、シールドテープが当接する部位に接地導体が設けられていることから、フレキシブルケーブルの接地の作業性が向上する。
【図面の簡単な説明】
【００１５】
【図１】図１は、本発明のフレキシブルケーブルの接地構造について実施の形態の１例を示す図であり、（ａ）はケース内に組み込まれたフレキシブルケーブルの平面図、（ｂ）は（ａ）のＡ１−Ａ２線における断面図である。
【図２】図２は、本発明のフレキシブルケーブルの接地構造について実施の形態の他例を示す図であり、（ａ）はケース内に組み込まれたフレキシブルケーブルの平面図、（ｂ）は（ａ）のＢ１−Ｂ２線における断面図である。
【図３】図３は、従来のフレキシブルフラットケーブルの１例を示す図であり、（ａ）はケース内に組み込まれたフレキシブルフラットケーブルの平面図、（ｂ）は（ａ）のＣ１−Ｃ２線における断面図である。
【図４】図４は、従来のフレキシブルフラットケーブルの他例を示す図であり、ケース内に組み込まれたフレキシブルフラットケーブルの平面図である。
【発明を実施するための形態】
【００１６】
以下、本発明のフレキシブルケーブル（ＦＣ）の接地構造の実施の形態について、図面を参照しながら説明する。図１は、本発明のＦＣについて実施の形態の１例を示す図であり、（ａ）はケース内に組み込まれたＦＣの平面図、（ｂ）は（ａ）のＡ１−Ａ２線における断面図である。図１に示すように、本発明のＦＣ１１の接地構造は、ケース８内にその底面から間隔をあけて設置された一方の回路基板４と他方の回路基板５とを電気的に中継接続する、シールドテープ１３によって周囲が巻回されているＦＣ１１の接地構造であって、両側の中継接続部（図１では接続端子６，７）から横方向（図１（ｂ）の白抜き矢印）に付勢されることによって形状を維持する蛇腹部13a,13bを有するとともに、その蛇腹部13a,13bの上端13a1が押圧部材９により押圧されてシールドテープ１３がケース８の底面に当接することによってシールドテープ１３が押圧部材９及びケース８の少なくとも一方に電気的に接地されている構成である。この構成により、ケース８内にＦＣ１１を組み込んで押圧部材９によって押圧するだけでシールドテープ１３が押圧部材９及びケース８の少なくとも一方に接触して電気的に接地されることになる。即ち、本発明のＦＣ１１の接地構造は、簡易な構成を有するとともにシールドテープ１３を電気的に接地させる作業性が向上したものとなる。
【００１７】
本発明のＦＣ１１の接地構造において、ケース８は、液晶表示装置、ＤＶＤプレーヤ、コピー機、プリンタ、スキャナ等の電子機器、電気機器の容器として用いられるものである。ケース８の材料としては、アクリル樹脂，ポリカーボネート，ポリアミド，ポリイミド，ポリアミドイミド等のプラスチック、アルミナセラミック等のセラミックなどの非導電性材料、またはアルミニウム（Ａｌ）、銅、ステンレススチール、真鍮（Ｃｕ−Ｚｎ合金）等の導電性材料が用いられる。またケース８は、プラスチック、セラミック等の非導電性材料から成る基体の表面に、金属、合金等から成る導電性メッキ層を形成したものであってもよい。
【００１８】
ケース８内には、その底面から間隔をあけて設置された一方の回路基板４と他方の回路基板５とが収容されている。回路基板４，５は、一般的に、ケース８内の底面に直置きされることは少なく、放熱部材、絶縁部材、緩衝部材、接着材等を介してケース８内の底面に設置されることが多い。従って、本発明における回路基板４，５は、ケース８内にその底面から間隔をあけて設置されている。なお、回路基板４，５は、プリント配線基板（ＰＣＢ）等から成る。
【００１９】
ＦＣ１１は、平面的に平行に並べられた銅（Ｃｕ）等から成る複数の導体線２と、それらの導体線２を覆う樹脂等から成る保護絶縁材とを有しており、可撓性を有するケーブルである。またＦＣ１１は、シールドテープ１３によって周囲が巻回されており、これにより、シールドテープ１３は、ＦＣ１１の信号伝送用の導体線２によって伝送される電気信号に対して外部から電磁気的なノイズが入り込むことを防ぐとともに、導体線２によって伝送される電気信号が外部へ電磁波として漏れることを防ぐ。シールドテープ１３は、アルミニウム（Ａｌ）等の金属から成るテープ、フィルム、シート等の面状のものである。またシールドテープ１３は、プラスチック等の非導電性材料から成る面状の基材の表面にアルミニウム，銅，銀，金等の金属膜をメッキ法等によって形成したものであってもよい。
【００２０】
本発明に係るＦＣ１１は、図１に示すように、シールドテープ１３がケース８に接地される場合、ケース８の底面に当接する蛇腹部（折り返し部）13bの数が押圧部材９に当接する蛇腹部（折り返し部）13aの数よりも多いことが好ましい。この場合、シールドテープ１３の接地の確実性を高めることができる。なお、ケース８の底面に当接するのは蛇腹部13bの下端13b1である。
【００２１】
図２は、本発明に係るＦＣについて実施の形態の他例を示す図であり、（ａ）はケース８内に組み込まれたＦＣ１２の平面図、（ｂ）は（ａ）のＢ１−Ｂ２線における断面図である。本発明のＦＣ１２は、図２に示すように、シールドテープ１４が押圧部材９に接地される場合、押圧部材９に当接する蛇腹部（折り返し部）14aの数がケース８の底面に当接する蛇腹部（折り返し部）14bの数よりも多いことが好ましい。この場合、シールドテープ１４の接地の確実性を高めることができる。なお、押圧部材９に当接するのは蛇腹部14aの上端14a1であり、ケース８の底面に当接するのは蛇腹部14bの下端14b1である。
【００２２】
押圧部材９は、ＦＣ１１，１２、シールドテープ１３，１４、接続端子６，７を覆う蓋体であってもよい。この場合、押圧部材９は、平板状の蓋体、または平板部とその周縁に下方に伸びるように形成された周壁部とを有する蓋体であってもよい。
【００２３】
本発明のＦＣ１１，１２の接地構造は、押圧部材９及びケース８の少なくとも一方は、導電性材料から成るとともに電気的に接地されていることが好ましい。この場合、シールドテープ１３，１４が押圧部材９及びケース８の少なくとも一方に当接するだけでシールドテープ１３，１４の接地をとることができる。従って、ＦＣ１１，１２の接地の作業性が向上する。またこの場合、押圧部材９及びケース８の少なくとも一方は、アルミニウム（Ａｌ）、銅、ステンレススチール、真鍮（Ｃｕ−Ｚｎ合金）等の導電性材料から成る。また、押圧部材９及びケース８の少なくとも一方は、プラスチック、セラミック等の非導電性材料から成る基体の表面に、金属、合金等から成る導電性メッキ層を形成したもの、金属、合金等から成る導電板、導電性フィルムを貼り付けたものであってもよい。なお、押圧部材９及びケース８の少なくとも一方は、接地導体線等の接地部材（図示せず）によって外部の接地部に電気的に接続されている。
【００２４】
また本発明のＦＣ１１，１２の接地構造は、押圧部材９及びケース８の少なくとも一方は、シールドテープ１３，１４が当接する部位に接地導体が設けられていることが好ましい。この場合、シールドテープ１３，１４が接地される、押圧部材９及びケース８の少なくとも一方が非導電性材料から成るときであっても、シールドテープ１３，１４を接地導体に接触させるだけでシールドテープ１３，１４を接地させることができる。従って、ＦＣ１１，１２の接地の作業性が向上する。なお、接地導体は、押圧部材９及びケース８の少なくとも一方に直接設けられたものであってもよく、あるいは押圧部材９及びケース８の少なくとも一方に設置された別個の回路基板等に設けられたものであってもよい。また、接地導体は、接地導体線等の接地部材（図示せず）によって外部の接地部に電気的に接続されている。
【００２５】
なお、本発明のＦＣは、上記実施の形態に限定されるものではなく、適宜の設計的な変更、改良を含んでいてもよい。
【産業上の利用可能性】
【００２６】
本発明のＦＣは、電子機器、電気機器のケース内に収容されて用いられる。その電子機器、電気機器としては、ＤＶＤプレーヤ、ＣＤプレーヤ、コピー機、プリンタ、スキャナ、パーソナルコンピュータ、汎用大型コンピュータ、タブレット端末、メモリ装置（バッファ装置）、表示装置等がある。また、本発明のＦＣが収容される表示装置としては、液晶表示装置（Liquid  Crystal  Display：ＬＣＤ）、有機ＥＬ（Electro  Luminescence）装置、無機ＥＬ装置、プラズマディスプレイ、ＦＥＤ（Field  Emitting  Display）、ＳＥＤ（Surface-conduction  Electron-emitter  Display）、ＧＬＶ（Grating  Light  Valve）装置、ＰＤＰ（Plasma  Display）装置、電子ペーパーディスプレイ装置、ＤＭＤ（Digital  micro  Mirror  Device）、圧電セラミックディスプレイなどの表示装置がある。
【符号の説明】
【００２７】
１  ＦＦＣ
２  導体線
３  シールドテープ
４，５  回路基板
６，７  接続端子（コネクタ）
８  ケース
１１，１２  ＦＣ
１３，１４  シールドテープ
１３ａ，１３ｂ  蛇腹部
１４ａ，１４ｂ  蛇腹部
【図１】
2015185623.tif 000003
【図２】
2015185623.tif 000004
【図３】
2015185623.tif 000005
【図４】
2015185623.tif 000006